(57)【要約】【課題】各地に点在する椅子型マッサージ機の利用情報を一元的に管理することが可能な椅子型マッサージ機利用情報集計システムを提供する。【解決手段】複数の拠点に設置された椅子型マッサージ機の利用情報を集計する椅子型マッサージ機利用情報集計システムであって、  前記椅子型マッサージ機が有する利用情報格納装置から前記利用情報を集計する集計手段と、  前記利用情報を解析する解析手段と、を備え、  前記利用情報は、前記椅子型マッサージ機が利用された回数に基づく売上金額情報を有することを特徴とする。【選択図】図１
2019164463.tif 000002
【特許請求の範囲】
【請求項１】
複数の拠点に設置された椅子型マッサージ機の利用情報を集計する椅子型マッサージ機利用情報集計システムであって、
前記椅子型マッサージ機が有する利用情報格納装置から前記利用情報を集計する集計手段と、
前記利用情報を解析する解析手段と、を備え、
前記利用情報は、前記椅子型マッサージ機が利用された回数に基づく売上金額情報を有することを特徴とする椅子型マッサージ機利用情報集計システム。
【請求項２】
前記利用情報は、前記椅子型マッサージ機の不具合の有無を判別する動作確認情報を有することを特徴とする、請求項１に記載の椅子型マッサージ機利用情報集計システム。
【請求項３】
前記解析手段は、前記椅子型マッサージ機が設置されている前記拠点に基づいて、前記利用情報の解析を行うことを特徴とする、請求項１又は２に記載の椅子型マッサージ機利用情報集計システム。
【請求項４】
前記解析手段は、前記売上金額情報に基づいて売上金額分配情報の算出を行うことを特徴とする、請求項１〜３の何れかに記載の椅子型マッサージ機利用情報集計システム。
【請求項５】
前記解析手段は、前記拠点毎に定められた分配率に基づいて前記拠点毎の前記売上金額分配情報の算出を行うことを特徴とする、請求項４の何れかに記載の椅子型マッサージ機利用情報集計システム。
【請求項６】
前記解析手段は、前記集計手段が集計を行った期間に基づいて、前記利用情報の解析を行うことを特徴とする、請求項１〜５の何れかに記載の椅子型マッサージ機利用情報集計システム。
【請求項７】
前記椅子型マッサージ機の設置場所の写真を登録する登録手段を備えることを特徴とする、請求項１〜６の何れかに記載の椅子型マッサージ機利用情報集計システム。
【請求項８】
前記利用情報格納装置は、前記椅子型マッサージ機に対して着脱可能であり、前記椅子型マッサージ機が有する制御装置に連動して動作することを特徴とする、請求項１〜７の何れかに記載の椅子型マッサージ機利用情報集計システム。
【請求項９】
複数の拠点に設置された椅子型マッサージ機の利用情報を集計する椅子型マッサージ機利用情報集計プログラムであって、
コンピュータを、前記椅子型マッサージ機が有する利用情報格納装置から前記利用情報を集計する集計手段と、
前記利用情報を解析する解析手段と、として機能させ、
前記利用情報は、前記椅子型マッサージ機が利用された回数に基づく売上金額情報を有することを特徴とする椅子型マッサージ機利用情報集計プログラム。
【請求項１０】
複数の拠点に設置された椅子型マッサージ機の利用情報を集計する椅子型マッサージ機利用情報集計装置であって、
前記椅子型マッサージ機が有する利用情報格納装置から前記利用情報を集計する集計手段と、
前記利用情報を解析する解析手段と、を備え、
前記利用情報は、前記椅子型マッサージ機が利用された回数に基づく売上金額情報を有することを特徴とする椅子型マッサージ機利用情報集計装置。
【発明の詳細な説明】
【技術分野】
【０００１】
本発明は、銭湯等施設に設置される椅子型マッサージ機の利用情報を集計するシステムに係るものである。
【背景技術】
【０００２】
近年、椅子型マッサージ機の設置場所として、銭湯や温泉施設のみならず、ホテルや旅館等の宿泊施設、インターネットカフェやカラオケボックス、パチンコ店、スポーツクラブ等の娯楽施設に至るまで、その範囲が広く拡大している。
【０００３】
上述した施設に設置される椅子型マッサージ機は、通常、タイマーを有した制御装置を備えており、この制御装置に数百円程度の硬貨を投入することで、数分〜十数分程度の動作を行う。
【０００４】
例えば、特許文献１には、上述した椅子型マッサージ機として、硬貨のみならず、使用済みのプリペイドカードやパチンコ球等を投入することで、動作させることが可能な椅子型マッサージ機が記載されている。
【先行技術文献】
【特許文献】
【０００５】
【特許文献１】実用新案登録第３０３８５５０号公報
【発明の概要】
【発明が解決しようとする課題】
【０００６】
ここで、椅子型マッサージ機が設置された支店を各地に構える企業において、各支店における椅子型マッサージ機の利用状況や不具合の有無等は、支店の従業員が適宜確認を行うこととなる。
【０００７】
このような状況となると、各支店に応じて、椅子型マッサージ機の管理期間や管理状況が異なったものとなり、一元的な管理が困難なものとなる。
【０００８】
本発明は上記のような実状に鑑みてなされたものであり、各地に点在する椅子型マッサージ機の利用情報を一元的に管理することが可能な椅子型マッサージ機利用情報集計システムを提供することを課題とする。
【課題を解決するための手段】
【０００９】
上記課題を解決するために、本発明は、
複数の拠点に設置された椅子型マッサージ機の利用情報を集計する椅子型マッサージ機利用情報集計システムであって、
前記椅子型マッサージ機が有する利用情報格納装置から前記利用情報を集計する集計手段と、
前記利用情報を解析する解析手段と、を備え、
前記利用情報は、前記椅子型マッサージ機が利用された回数に基づく売上金額情報を有することを特徴とする。
【００１０】
本発明によれば、各地に点在する椅子型マッサージ機の売上金額を一元的に管理することができるため、管理者は、例えば、それぞれの椅子型マッサージ機の月毎の売上金額を予想する、売上金額の低い椅子型マッサージ機の設置場所を変更する等、効率的な事業運営に役立てることが可能となる。
【００１１】
本発明の好ましい形態では、前記利用情報は、前記椅子型マッサージ機の不具合の有無を判別する動作確認情報を有することを特徴とする。
【００１２】
このような構成とすることで、管理者は、不具合を有する椅子型マッサージ機の設置場所を瞬時に判断し、この設置場所の担当者に状況を確認させる、修理を行わせる、といった対策を講じることが可能となる。
【００１３】
本発明の好ましい形態では、前記解析手段は、前記椅子型マッサージ機が設置されている前記拠点に基づいて、前記利用情報の解析を行うことを特徴とする。
【００１４】
このような構成とすることで、管理者は、複数の椅子型マッサージ機の売上金額等の利用情報を、設置された拠点ごとに比較することができ、効率的な事業運営に役立てることが可能となる。
【００１５】
本発明の好ましい形態では、前記解析手段は、前記売上金額情報に基づいて売上金額分配情報の算出を行うことを特徴とする。
【００１６】
このような構成とすることで、管理者は、売上金額の内の自身の持分を把握しておくことができ、効率的な事業運営に役立てることが可能となる。
【００１７】
本発明の好ましい形態では、前記解析手段は、前記拠点毎に定められた分配率に基づいて前記拠点毎の前記売上金額分配情報の算出を行うことを特徴とする。
【００１８】
このような構成とすることで、管理者は、拠点毎に、売上金額の内の自身の持分を把握しておくことができる。特に、売上金額の高い拠点に高い分配率を設定しておくことでき、効率的な事業運営に役立てることが可能となる。
【００１９】
本発明の好ましい形態では、前記解析手段は、前記集計手段が集計を行った期間に基づいて、前記利用情報の解析を行うことを特徴とする。
【００２０】
このような構成とすることで、管理者は、複数の椅子型マッサージ機の売上金額等の利用情報を、集計を行った期間ごとに比較することができ、効率的な事業運営に役立てることが可能となる。
【００２１】
本発明の好ましい形態では、前記椅子型マッサージ機の設置場所の写真を登録する登録手段を備えることを特徴とする。
【００２２】
このような構成とすることで、管理者は、椅子型マッサージ機の設置場所を視覚的に認識しておくことができ、利用情報の把握ミスや、設置場所の担当者への連絡ミス等を防止することが可能となる。
【００２３】
本発明の好ましい形態では、前記利用情報格納装置は、前記椅子型マッサージ機に対して着脱可能であり、前記椅子型マッサージ機が有する制御装置に連動して動作することを特徴とする。
【００２４】
このような構成とすることで、管理者は、既存の椅子型マッサージ機に対しても、本システムを適用させることが可能となる。
【００２５】
また、本発明は、複数の拠点に設置された椅子型マッサージ機の利用情報を集計する椅子型マッサージ機利用情報集計プログラムであって、
コンピュータを、前記椅子型マッサージ機が有する利用情報格納装置から前記利用情報を集計する集計手段と、
前記利用情報を解析する解析手段と、として機能させ、
前記利用情報は、前記椅子型マッサージ機が利用された回数に基づく売上金額情報を有することを特徴とする。
【００２６】
また、本発明は、複数の拠点に設置された椅子型マッサージ機の利用情報を集計する椅子型マッサージ機利用情報集計装置であって、
前記椅子型マッサージ機が有する利用情報格納装置から前記利用情報を集計する集計手段と、
前記利用情報を解析する解析手段と、を備え、
前記利用情報は、前記椅子型マッサージ機が利用された回数に基づく売上金額情報を有することを特徴とする。
【発明の効果】
【００２７】
本発明によれば、各地に点在する椅子型マッサージ機の利用情報を一元的に管理することが可能な椅子型マッサージ機利用情報集計システムを提供することができる。
【図面の簡単な説明】
【００２８】
【図１】本発明の実施形態に係る椅子型マッサージ機の概要を示す図である。
【図２】本発明の実施形態に係る椅子型マッサージ機利用情報集計システムの概要を示す図である。
【図３】本発明の実施形態に係る椅子型マッサージ機利用情報集計システムのデータ構造の一例を示す図である。
【図４】本発明の実施形態に係る椅子型マッサージ機利用情報集計システムのハードウェア構成図である。
【図５】本発明の実施形態に係る椅子型マッサージ機利用情報集計システムの管理画面を示す図である。
【図６】本発明の実施形態に係る椅子型マッサージ機利用情報集計システムの管理画面を示す図である。
【図７】本発明の実施形態に係る椅子型マッサージ機利用情報集計システムの管理画面を示す図である。
【図８】本発明の実施形態に係る椅子型マッサージ機利用情報集計システムの管理画面を示す図である。
【図９】本発明の実施形態に係る椅子型マッサージ機利用情報集計システムの管理画面を示す図である。
【図１０】本発明の実施形態に係る椅子型マッサージ機利用情報集計システムの管理画面を示す図である。
【発明を実施するための形態】
【００２９】
以下、図１〜図１０を用いて、本発明の実施形態に係る椅子型マッサージ機利用情報集計システムについて説明する。なお、以下に示す実施形態は本発明の一例であり、本発明を以下の実施形態に限定するものではない。
【００３０】
例えば、本実施形態では椅子型マッサージ機利用情報集計装置を用いて実現した椅子型マッサージ機利用情報集計システムの構成、動作などについて説明するが、クライアント端末並びに椅子型マッサージ機利用情報集計サーバなど複数の装置を備えた椅子型マッサージ機利用情報集計システムや、同様の構成の方法、コンピュータプログラム、記録媒体なども、同様の作用効果を奏することができる。また、プログラムは、記録媒体に記憶させてもよい。この記録媒体を用いれば、例えばコンピュータに前記プログラムをインストールすることができる。ここで、前記プログラムを記憶した記録媒体は、例えばＣＤ−ＲＯＭ等の非一過性の記録媒体であっても良い。
【００３１】
本実施形態では、複数の椅子型マッサージ機が設置された支店を各地に構える企業において、この企業の本社に従事する管理者が、各椅子型マッサージ機の管理を行う場合を示す。
なお、以下の説明において使用する「拠点」とは、椅子型マッサージ機が設置された複数の設置場所が含まれ、管理者が任意にその範囲を決定できる一定の区域のことである。また、「拠点」は、任意の都道府県に一又は二以上存在しているものとするが、全ての都道府県に存在している必要はない。
【００３２】
図１（ａ）は、本実施形態に係る椅子型マッサージ機Ａの概略斜視図である。
図１（ａ）に示すように、椅子型マッサージ機Ａは、その側面に、制御装置Ａ１を有しており、制御装置Ａ１の側面には、利用情報格納装置Ｘが設けられている。
【００３３】
図１（ｂ）は、制御装置Ａ１及び利用情報格納装置Ｘの拡大斜視図である。
制御装置Ａ１の上面には、投入部Ａ１ａと操作部Ａ１ｂが設けられており、内部には制御部Ａ１ｃが設けられている。操作部Ａ１ｂと制御部Ａ１ｃと、は電気的に接続されている。椅子型マッサージ機Ａの使用者は、投入部Ａ１ａに、貨幣やプリペイドカード、パチンコ球等投入することで、制御部Ａ１ｃを動作させ、椅子型マッサージ機Ａを利用してマッサージを受けることができる。
また、利用情報格納装置Ｘは、任意の固定具（図示せず）を用いて、制御装置Ａ１の側面に着脱可能に取り付けられており、制御部Ａ１ｃと電気的に接続されている。これにより、利用情報格納装置Ｘは、制御部Ａ１ｃに連動して動作する。
なお、利用情報格納装置Ｘは、制御装置Ａ１の内部に設けられていても良い。
【００３４】
図２に示すように、本実施形態に係る椅子型マッサージ機利用情報集計システム１は、各支店に設置された複数の椅子型マッサージ機Ａと、複数の椅子型マッサージ機Ａに設けられた各利用情報格納装置Ｘの処理を行う処理部Ｂと、処理部Ｂによる利用情報の解析結果が表示される管理端末Ｃと、を備えている。
また、各利用情報格納装置Ｘと、処理部Ｂと、管理端末Ｃと、がネットワークＮを介して、相互に接続されている。
【００３５】
処理部Ｂは、集計手段Ｂ１と、解析手段Ｂ２と、登録手段Ｂ３と、を有している。
【００３６】
集計手段Ｂ１は、各利用情報格納装置Ｘから、個々の利用情報格納装置Ｘ（椅子型マッサージ機Ａ）を識別可能な形で利用情報を集計し、記憶部（図示せず）に格納する。
なお、集計手段Ｂ１が集計を行うタイミングは、一時間に一回や一日に一回等、管理者が任意に設定でき、特に限定されない。
【００３７】
解析手段Ｂ２は、集計手段Ｂ１により集計し格納された利用情報の解析を行う。
登録手段Ｂ３は、椅子型マッサージ機を管理するための情報の登録を受け付ける。本実施形態では、拠点情報や、端末情報、ユーザ情報の登録を行う。
【００３８】
ここで、利用情報格納装置Ｘに格納される利用情報としては、例えば、各椅子型マッサージ機Ａを識別するためのＩＤ、利用時間、利用回数、回数及び金額を用いて算出される売上金額情報、各椅子型マッサージ機Ａの不具合の有無を判別する動作確認情報等が含まれる。
【００３９】
拠点情報は、椅子型マッサージ機が設置される拠点に関する情報である。本実施形態では、拠点情報は、拠点を識別するためのＩＤや拠点名情報、後述する分配率情報、住所の少なくとも一部、拠点の担当者名、電話番号、設置場所に関連した写真等を含む。設置場所に関連した写真とは、設置を行った施設の外観や、設置された椅子型マッサージ機の外観に関する写真である。
【００４０】
端末情報は、椅子型マッサージ機に関する情報である。本実施形態では、椅子型マッサージ機を識別するためのＩＤや端末名、メーカー、製造年、設置期間等の情報を含む。また、端末情報として、椅子型マッサージ機Ａの一回の動作に必要な金額やその動作時間等を含んでいてもよい。
【００４１】
ユーザ情報は、椅子型マッサージ機の管理を行うユーザに関する情報である。本実施形態では、ユーザを識別するためのＩＤやユーザ名、ユーザの住所、管理者画面にログインするためのＩＤとパスワード等の情報を含む。
【００４２】
図３に、椅子型マッサージ機利用情報集計システムのデータ構造の一例を示す。
（ａ）は拠点情報、（ｂ）は端末情報、（ｃ）はユーザ情報のデータ構造の一例である。
【００４３】
売上金額情報Ｓ１は、例えば、利用情報格納装置Ｘにカウンタを設けておき、利用情報格納装置Ｘが、カウンタによりカウントされた利用回数に椅子型マッサージ機Ａの一回の動作に必要な金額を乗じることで算出される情報である。
【００４４】
ここで、売上金額情報Ｓ１の算出に利用される金額を利用情報格納装置Ｘに設定しておき、カウンタによって得られた利用回数と金額を乗じることで得られる売上金額情報を、利用情報として処理部Ｂに受け渡す構成を採用してもよい。また、登録手段Ｂ３を介して登録される端末情報や拠点情報に動作に必要な金額を含め、集計手段Ｂ１を介して利用情報として受け取った利用回数を乗じて、売上金額情報Ｓ１を算出する構成としてもよい。
【００４５】
動作確認情報は、例えば、一の椅子型マッサージ機Ａの利用情報について、集計手段Ｂ１により集計された売上金額情報が、所定の期間増加しない場合に、この椅子型マッサージ機Ａに不具合が存在する可能性があるとして、利用情報格納装置Ｘが発信する情報である。制御部Ａ１ｃからエラー信号が得られる場合には、利用情報格納手段Ｘは、このエラー信号に基づいて動作確認情報を発信してもよい。
【００４６】
なお、椅子型マッサージ機の利用時間を利用情報として取得する場合、例えば、上述したカウンタが動作した時間などを利用（開始）時間として取得する。
【００４７】
図４に示すように、処理部Ｂは、ＣＰＵ１０１と、メモリ１０２と、記憶部１０３と、外部の装置と通信を行うためのインターフェースである通信部１０４と、キーボード等の入力部１０５と、ディスプレイ等の出力部１０６と、を備えている。また、記憶部１０３は、オペレーティングシステム１０７と、椅子型マッサージ機利用情報集計プログラム１０８などが記録されている。椅子型マッサージ機利用情報集計プログラム１０８は、オペレーティングシステム１０７と協調してその機能を発揮するものである。
【００４８】
図５は、管理端末Ｃに表示される椅子型マッサージ機利用情報集計システム１の管理画面であって、ログイン画面Ｃ１を示す図である。本実施形態では、管理端末Ｃの記憶したウェブブラウザアプリケーションアプリケーションを介して、椅子型マッサージ機利用情報集計システム１を利用するためのウェブページにアクセスし、その機能を利用する。
管理者は、管理者情報入力部Ｃ１１に、ユーザ情報として登録したログインＩＤやパスワードを入力することで、集計した利用情報の閲覧、端末情報や拠点情報の編集等を行うことができる。
【００４９】
図６は、管理端末Ｃに表示される椅子型マッサージ機利用情報集計システム１の管理画面であって、ログイン後の初期画面Ｃ２を示す図である。
初期画面Ｃ２には、情報表示部Ｃ２１と、検索画面表示部Ｃ２２が表示されている。
【００５０】
ここで、解析手段Ｂ２は、集計手段Ｂ１により集計し格納された複数の椅子型マッサージ機Ａの利用情報に含まれる売上金額情報Ｓ１の合計値を、売上総額情報Ｓ２として算出する。算出処理された売り上げ総合情報Ｓ２は、初期画面Ｃ２に表示される。
また、解析手段Ｂ２は、売上金額情報Ｓ１に、拠点毎に決定された分配率情報ｄ（図８参照）を乗じることで、売上金額分配情報Ｄ１（図７参照）を算出し、さらに、売上金額分配情報Ｄ１の合計値を、売上総額分配情報Ｄ２として算出する。算出処理された売上総額分配情報Ｄ２は、初期画面Ｃ２に表示される。
【００５１】
、
情報表示部Ｃ２１には、売上総額情報Ｓ２及び売上総額分配情報Ｄ２が表示されている。
また、集計手段Ｂ１により利用情報の集計を行うことができなかった椅子型マッサージ機Ａは、この椅子型マッサージ機Ａに設けられた利用情報格納装置Ｘと処理部Ｂとの通信に不具合がある認識され、エラー端末情報Ｅ１として表示される。表示されるエラー端末情報Ｅ１は、例えば、設置された拠点に関する情報（図示例では「拠点名」）や、椅子型マッサージ機に関する情報（図示例では「端末名」「シリアル番号」）、当該椅子型マッサージ機の詳細な情報を表示するページへのリンク（図示例における「詳細」）が併せて表示される。
【００５２】
検索画面表示部Ｃ２２には、端末検索画面表示部Ｃ２２ａと、拠点検索画面表示部Ｃ２２ｂと、が含まれている。
【００５３】
図７は、管理端末Ｃに表示される椅子型マッサージ機利用情報集計システム１の管理画面であって、端末検索画面表示部Ｃ２２ａを操作した際に表示される端末検索画面Ｃ３を示す図である。
端末検索画面Ｃ３には、端末検索部Ｃ３１と、利用情報表示部Ｃ３２と、拠点登録画面表示部Ｃ３３と、ダウンロード部Ｃ３４と、が表示されている。
また、端末検索部Ｃ３１には、場所指定部Ｃ３１ａと期間指定部Ｃ３１ｂと、が含まれている。
【００５４】
管理者は、場所指定部Ｃ３１ａを用いて端末の検索を行うことができる。
詳述すれば、管理者は、利用情報の閲覧等を行いたい椅子型マッサージ機Ａが設置されている場所を指定することで、端末の検索を行うことができる。
例えば、所望の都道府県を指定することで、指定した都道府県に含まれている拠点に設置されている複数の椅子型マッサージ機Ａを索出することができる。また、所望の拠点を指定することで、指定した拠点に設置されている複数の椅子型マッサージ機Ａを索出することができる。
また、管理者は、期間指定部Ｃ３１ｂにおいて、所望の期間を指定することで、解析手段Ｂ２は、指定した期間内において集計手段Ｂ１が集計した利用情報に基づいて、索出された各椅子型マッサージ機Ａの売上金額情報Ｓ１及び売上金額分配情報Ｄ１を算出する。
【００５５】
利用情報表示部Ｃ３２には、端末検索部Ｃ３１により索出した各椅子型マッサージ機Ａの利用情報の一覧が表示されている。
利用情報として、上述した各椅子型マッサージ機Ａの売上金額情報Ｓ１及び売上金額分配情報Ｄ１が表示されている他、各椅子型マッサージ機Ａが設置されている設置場所が含まれている拠点名を表す拠点名情報ｐが表示されている。
また、利用情報として、設置場所の名称（支店名）や設置場所が含まれている都道府県、設置場所の担当者名が表示されている。
【００５６】
さらに、利用情報表示部Ｃ３２には、設置場所表示部Ｉと端末情報編集部Ｚが表示されている。
管理者は、設置場所表示部Ｉを用いて、索出した各椅子型マッサージ機Ａの設置場所の住所や支店名等を画面上に表示し確認することができる。また管理者は、端末情報編集部Ｚを用いて、索出した各椅子型マッサージ機Ａの設置場所の名称（支店名）や設置場所が含まれている都道府県、設置場所の担当者名等の編集を行うことができる。
【００５７】
管理者は、拠点登録画面表示部Ｃ３３を用いて、後述する拠点登録画面Ｃ４を表示することができる。
【００５８】
管理者は、ダウンロード部Ｃ３４を用いて、利用情報表示部Ｃ３２に表示された利用情報を、一つのファイルとしてダウンロードし、管理端末Ｃに格納することができる。
このファイルには、例えば一日毎の売上金額情報Ｓ１や売上金額分配情報Ｄ１の他、各椅子型マッサージ機Ａが利用された時間や利用回数、利用情報表示部Ｃ３２に表示されている各情報が含まれている。
【００５９】
図７は、管理端末Ｃに表示される椅子型マッサージ機利用情報集計システム１の管理画面であって、拠点登録画面表示部Ｃ３３を操作した際に表示される拠点登録画面Ｃ４を示す図である。
拠点登録画面Ｃ４には、拠点情報登録部Ｃ４１と、写真表示部Ｃ４２と、が表示されている。
【００６０】
管理者は、拠点情報登録部Ｃ４１を用いて、任意の拠点の拠点情報を入力し、登録手段Ｂ３は、入力された情報に基づいて拠点情報を登録することができる。
詳述すれば、管理者は、拠点情報として、拠点名情報ｐや分配率情報ｄの他、各椅子型マッサージ機Ａが設置されている都道府県、設置場所の担当者名、設置場所の住所の登録を行うことができる。
【００６１】
また、管理者は、登録手段Ｂ３を用いて、各椅子型マッサージ機Ａの設置場所の写真の登録を行い、登録された写真を写真表示部Ｃ４２に表示させることができる。
なお、設置場所の写真は複数枚登録し、表示させることができる。
【００６２】
図９は、管理端末Ｃに表示される椅子型マッサージ機利用情報集計システム１の管理画面であって、拠点検索画面表示部Ｃ１３ｂを操作した際に表示される拠点検索画面Ｃ５を示す図である。
拠点検索画面Ｃ５には、拠点検索部Ｃ５１と、拠点表示部Ｃ５２と、拠点登録画面表示部Ｃ５３と、が表示されている。
また、拠点検索部Ｃ５１には、場所指定部Ｃ５１ａと期間指定部Ｃ５１ｂと、が含まれている。
【００６３】
ここで、解析手段Ｂ２は、索出された拠点に設置された複数の椅子型マッサージ機Ａの売上金額情報Ｓ１の合計値である拠点売上金額情報Ｓ３の算出及び拠点売上金額情報Ｓ３に、索出された拠点に定められた分配率情報ｄを乗じて、拠点売上金額分配情報Ｄ３の算出を行う。
【００６４】
管理者は、場所指定部Ｃ５１ａを用いて拠点の検索を行うことができる。
詳述すれば、管理者は、場所指定部Ｃ５１ａを用いて所望の都道府県を指定し、指定した都道府県に含まれる複数の拠点を索出することができる。また、管理者は、場所指定部Ｃ５１ａを用いて全ての都道府県を指定し、これらの都道府県に含まれる複数の拠点を索出することもできる。
また、管理者は、期間指定部Ｃ５１ｂを用いて所望の期間を指定することで、解析手段Ｂ２が、指定した期間内において集計手段Ｂ１が集計した利用情報に基づいて、拠点売上金額情報Ｓ３及び拠点売上金額分配情報Ｄ３を算出し、拠点表示部Ｃ５２に表示する。
【００６５】
拠点表示部Ｃ５２には、拠点検索部Ｃ５１により索出した各拠点に含まれる各椅子型マッサージ機Ａの利用情報の一覧が表示されている。
利用情報として、拠点売上金額情報Ｓ３、拠点売上金額分配情報Ｄ３及び拠点名情報ｐが表示されている。
また、利用情報として、各椅子型マッサージ機Ａが設置されている都道府県や設置場所の担当者名に関する情報も表示されている。
【００６６】
また、拠点表示部Ｃ５２には、総計表示部Ｃ５２ａが含まれ、解析手段Ｂ２が、拠点表示部Ｃ５２に表示されている各椅子型マッサージ機Ａの売上金額情報Ｓ１の総計及び売上金額分配情報Ｄ１の総計を算出し、表示する。
【００６７】
管理者は、拠点登録画面表示部Ｃ５３を用いて、拠点登録画面Ｃ４を表示することができる。
【００６８】
ここで、管理者は、拠点表示部Ｃ５２に表示されている複数の拠点名情報ｐの内、所望の拠点名情報ｐを選択することで、図９に示すような拠点詳細画面Ｃ６を表示することができる。
【００６９】
拠点詳細画面Ｃ６には、期間指定部Ｃ６１と、端末情報表示部Ｃ６２と、拠点検索画面表示部Ｃ６３と、端末登録部Ｃ６４と、返金登録部Ｃ６５、登録情報編集部Ｃ６６と、が表示されている。
【００７０】
管理者は、期間指定部Ｃ６１において、所望の期間を指定することで、解析手段Ｂ２が、指定した期間内において集計手段Ｂ１が集計した利用情報に基づいて、端末情報表示部Ｃ６２に表示されている各椅子型マッサージ機Ａの売上金額情報Ｓ１及び売上金額分配情報Ｄ１を算出し、端末情報表示部Ｃ６２に表示する。
【００７１】
端末情報表示部Ｃ６２には、選択した拠点に含まれる設置場所に設置された複数の椅子型マッサージ機Ａの利用情報の一覧が表示されている。
利用情報として、各椅子型マッサージ機Ａの売上金額情報Ｓ１及び売上金額分配情報Ｄ１が表示されている。
また、利用情報として、期間指定部Ｃ６１により指定した期間内での各椅子型マッサージ機Ａの稼働時間の総計である稼働時間情報Ｍ１及び稼働回数の総計である稼働回数情報Ｍ２が表示されている。
さらに、利用情報として、各椅子型マッサージ機Ａ固有の機種名やＩＤ、シリアルナンバーに関する情報も表示されている。
【００７２】
また、端末情報表示部Ｃ６２には、総計表示部Ｃ６２ａが含まれ、解析手段Ｂ２が、端末情報表示部Ｃ６２に表示されている各椅子型マッサージ機Ａの売上金額情報Ｓ１の総計及び売上金額分配情報Ｄ１の総計を算出し、表示する。
【００７３】
さらに、端末情報表示部Ｃ６２には、端末情報編集部Ｚが表示されている。
管理者は、端末情報編集部Ｚを用いて、索出した各椅子型マッサージ機Ａの設置場所の名称や設置場所が含まれている都道府県、設置場所の担当者名等の編集を行うことができる。
【００７４】
管理者は、拠点検索画面表示部Ｃ６３を用いて、拠点検索画面Ｃ３を表示することができる。
【００７５】
管理者は、端末登録部Ｃ６４を用いて、新たに設置場所に設置された椅子型マッサージ機Ａを、選択した拠点に設置された椅子型マッサージ機Ａとして入力し、登録手段Ｂ３は、入力された情報に基づいて端末情報を拠点情報と対応付けて処理部Ｂに登録する。
【００７６】
管理者は、返金登録部Ｃ６５を用いて、端末情報表示部Ｃ６２に表示された椅子型マッサージ機Ａそれぞれの返金額を設定することができる。解析手段Ｂ２は、返金額が設定されると、売上金額情報Ｓ１からこの返金額を差し引き、返金額が差し引かれた売上金額情報Ｓ１に基づいて売上金額分配情報Ｄ１の再計算を行い、端末情報表示部Ｃ６２に表示する。
【００７７】
管理者は、拠点情報編集部Ｃ６６を用いて、選択した拠点の拠点情報を編集することができる。
【００７８】
本実施形態によれば、各地に点在する椅子型マッサージ機Ａの売上金額を一元的に管理することができるため、管理者は、例えば、それぞれの椅子型マッサージ機Ａの月毎の売上金額を予想する、売上金額の低い椅子型マッサージ機Ａの設置場所を変更する等、効率的な事業運営に役立てることが可能となる。
【００７９】
また、利用情報が、椅子型マッサージ機Ａの不具合の有無を判別する動作確認情報を有することで、管理者は、不具合を有する椅子型マッサージ機Ａの設置場所を瞬時に判断し、この設置場所の担当者に状況を確認させる、修理を行わせる、といった対策を講じることが可能となる。
【００８０】
また、解析手段Ｂ２が、椅子型マッサージ機Ａが設置されている拠点に基づいて、利用情報の解析を行うことで、管理者は、複数の椅子型マッサージ機Ａの売上金額等の利用情報を、設置された拠点ごとに比較することができ、効率的な事業運営に役立てることが可能となる。
【００８１】
また、解析手段Ｂ２が、売上金額情報に基づいて売上金額分配情報の算出を行うことで、管理者は、売上金額の内の自身の持分を把握しておくことができ、効率的な事業運営に役立てることが可能となる。
【００８２】
また、解析手段Ｂ２が、前記拠点毎に定められた分配率に基づいて拠点毎の前記売上金額分配情報の算出を行うことで、管理者は、拠点毎に、売上金額の内の自身の持分を把握しておくことができる。特に、売上金額の高い拠点に高い分配率を設定しておくことでき、効率的な事業運営に役立てることが可能となる。
【００８３】
また、解析手段Ｂ２が、集計手段が集計を行った期間に基づいて、利用情報の解析を行うことで、管理者は、複数の椅子型マッサージ機Ａの売上金額等の利用情報を、集計を行った期間ごとに比較することができ、効率的な事業運営に役立てることが可能となる。
【００８４】
また、椅子型マッサージ機Ａの設置場所の写真を登録する登録手段Ｂ３を備えることで、管理者は、椅子型マッサージ機Ａの設置場所を視覚的に認識しておくことができ、利用情報の把握ミスや、設置場所の担当者への連絡ミス等を防止することが可能となる。
【００８５】
また、利用情報格納装置Ｘが、椅子型マッサージ機Ａに対して着脱可能に取り付けられており、椅子型マッサージ機Ａが有する制御装置Ａ１に連動して動作することで、管理者は、既存の椅子型マッサージ機に対しても、椅子型マッサージ機利用情報集計システム１を適用させることが可能となる。
【００８６】
なお、本実施形態においては、椅子型マッサージ機利用情報集計システム１が、日本国内に設置された椅子型マッサージ機に対して適用される場合を示したが、国外に設置された椅子型マッサージ機に対しても当然に適用することができる。
【符号の説明】
【００８７】
１    椅子型マッサージ機利用情報集計システム
Ａ    椅子型マッサージ機
Ａ１  制御装置
Ｘ    利用情報格納装置
Ｂ    処理部
Ｂ１  集計手段
Ｂ２  解析手段
Ｂ３  登録手段
Ｃ    管理端末
Ｃ１  ログイン画面
Ｃ２  初期画面
Ｃ３  端末検索画面
Ｃ４  拠点登録画面
Ｃ５  拠点検索画面
Ｃ６  拠点詳細画面
【図１】
2019164463.tif 000003
【図２】
2019164463.tif 000004
【図３】
2019164463.tif 000005
【図４】
2019164463.tif 000006
【図５】
2019164463.tif 000007
【図６】
2019164463.tif 000008
【図７】
2019164463.tif 000009
【図８】
2019164463.tif 000010
【図９】
2019164463.tif 000011
【図１０】
2019164463.tif 000012